(57)【特許請求の範囲】
【請求項１】
移動局装置であって、
端末能力を問い合わせるメッセージを受信する受信部と、
前記メッセージに応答して端末能力情報メッセージを送信する送信部と、を備え、
前記端末能力情報メッセージは、端末能力の情報エレメントを含み、
前記情報エレメントは、免許不要バンドのセカンダリーセルにおける下りリンクの動作を前記移動局装置がサポートするか否かを示す情報を含み、
前記免許不要バンドのセカンダリーセルは、下りリンク送信の前にキャリアセンスが行われるセルであり、
前記免許不要バンドのセカンダリーセルは、下りリンク送信のみが可能なＴＤＤセルである、
ことを特徴とする移動局装置。
【請求項２】
前記免許不要バンドのセカンダリーセルは、所定のインデックスに対応するバンドのセルである
ことを特徴とする請求項１記載の移動局装置。
【請求項３】
前記免許不要バンドのセカンダリーセルの無線フレーム内の全てのサブフレームが下りリンク送信に利用可能なサブフレームである
ことを特徴とする請求項１記載の移動局装置。
【請求項４】
基地局装置であって、
端末能力を問い合わせるメッセージを送信する送信部と、
前記メッセージに対応する端末能力情報メッセージを受信する受信部と、を備え、
前記端末能力情報メッセージは、端末能力の情報エレメントを含み、
前記情報エレメントは、免許不要バンドのセカンダリーセルにおける下りリンクの動作を移動局装置がサポートするか否かを示す情報を含み、
前記免許不要バンドのセカンダリーセルは、下りリンク送信の前にキャリアセンスが行われるセルであり、
前記免許不要バンドのセカンダリーセルは、下りリンク送信のみが可能なＴＤＤセルである、
ことを特徴とする基地局装置。
【請求項５】
前記免許不要バンドのセカンダリーセルは、所定のインデックスに対応するバンドのセルである
ことを特徴とする請求項４記載の基地局装置。
【請求項６】
前記免許不要バンドのセカンダリーセルの無線フレーム内の全てのサブフレームが下りリンク送信に利用可能なサブフレームである
ことを特徴とする請求項４記載の基地局装置。
【請求項７】
移動局装置によって実行される方法であって、
端末能力を問い合わせるメッセージを受信し、
前記メッセージに応答して端末能力情報メッセージを送信し、
前記端末能力情報メッセージは、端末能力の情報エレメントを含み、
前記情報エレメントは、免許不要バンドのセカンダリーセルにおける下りリンクの動作を前記移動局装置がサポートするか否かを示す情報を含み、
前記免許不要バンドのセカンダリーセルは、下りリンク送信の前にキャリアセンスが行われるセルであり、
前記免許不要バンドのセカンダリーセルは、下りリンク送信のみが可能なＴＤＤセルである、
ことを特徴とする方法。
【請求項８】
基地局装置によって実行される方法であって、
端末能力を問い合わせるメッセージを送信し、
前記メッセージに対応する端末能力情報メッセージを受信し、
前記端末能力情報メッセージは、端末能力の情報エレメントを含み、
前記情報エレメントは、免許不要バンドのセカンダリーセルにおける下りリンクの動作を移動局装置がサポートするか否かを示す情報を含み、
前記免許不要バンドのセカンダリーセルは、下りリンク送信の前にキャリアセンスが行われるセルであり、
前記免許不要バンドのセカンダリーセルは、下りリンク送信のみが可能なＴＤＤセルである、
ことを特徴とする方法。
【発明の詳細な説明】
【技術分野】
【０００１】
本発明は、移動局装置、および基地局装置に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮｏｄｅＢ（evolved NodeB）、移動局装置をＵＥ（User Equipment）とも称する。ＬＴＥは、基地局装置がカバーするエリアをセル状に複数配置するセルラー通信システムである。単一の基地局装置は複数のセルを管理してもよい。【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤは、上りリンク信号と下りリンク信号を時分割多重することによって、単一の周波数帯域において全二重通信（full duplex communication）を可能にする技術である。【０００４】
３ＧＰＰにおいて、ＴＤ−ＬＴＥを更に拡張することが議論されている。例えば、現在のＴＤ−ＬＴＥで設定可能な上りリンク‐下りリンク設定（uplink-downlink configuration）を更に拡張することが議論されている。【０００５】
非特許文献１において、追加の上りリンク‐下りリンク設定として、単一の無線フレーム内の全てのサブフレームを全て下りリンクサブフレームとする上りリンク‐下りリンク設定（downlink only configuration / 10:0 configuration / supplemental downlink configuration）が提案されている。
【先行技術文献】
【非特許文献】
【０００６】
【非特許文献１】" Proposal for a configuration for Supplemental Downlink forTD-LTE ", RP-140710, NTT DOCOMO, 3GPP TSG-RAN #64, Sophia Antipolis, France, 10rd - 13th June 2014.
【発明の概要】
【発明が解決しようとする課題】
【０００７】
しかしながら、上記の無線通信システムにおいて、移動局装置が追加の上りリンク‐下りリンク設定に関する機能をサポートしているか否かを基地局装置に通知するための技術は十分検討されていない。本発明は上記の点に鑑みてなされたものであり、その目的は、追加の上りリンク‐下りリンク設定を利用可能な無線通信システムにおいて、効率的に通信することができる移動局装置、および、基地局装置を提供することである。
【課題を解決するための手段】
【０００８】
（１）上記の目的を達成するために、本発明は、以下のような手段を講じた。すなわち、本発明の移動局装置は、所定のバンドにおいて通信する移動局装置であって、特定の上りリンク‐下りリンク設定のサポートに関する情報を送信することを特徴としている。【０００９】
（２）また、所定のバンドにおいて通信がサポートされている移動局装置であって、免許不要バンドでの通信のサポートに関する情報を送信することを特徴としている。【００１０】
（３）また、所定のバンドにおける通信がサポートされている移動局装置と通信する基地局装置であって、特定の上りリンク‐下りリンク設定のサポートに関する情報を受信することを特徴としている。【００１１】
（４）また、所定のバンドにおける通信がサポートされている移動局装置と通信する基地局装置であって、免許不要バンドでの通信のサポートに関する情報を受信することを特徴としている。
【発明の効果】
【００１２】
この発明によれば、追加の上りリンク‐下りリンク設定を利用可能な無線通信システムにおいて、移動局装置と基地局装置とが効率的に通信することができる。
【図面の簡単な説明】
【００１３】
【図１】本実施形態の無線通信システムの概念図である。
【図２】本実施形態の無線フレームの概略構成を示す図である。
【図３】本実施形態のスロットの構成を示す図である。
【図４】本実施形態の下りリンクサブフレームにおける物理チャネルおよび物理信号の配置の一例を示す図である。
【図５】本実施形態の上りリンクサブフレームにおける物理チャネルおよび物理信号の配置の一例を示す図である。
【図６】本実施形態のスペシャルサブフレームにおける物理チャネルおよび物理信号の配置の一例を示す図である。
【図７】本実施形態の移動局装置１の構成を示す概略ブロック図である。
【図８】本実施形態の基地局装置３の構成を示す概略ブロック図である。
【図９】本実施形態における上りリンク−下りリンク設定の一例を示す表である。
【発明を実施するための形態】
【００１４】
以下、本発明の実施形態について説明する。
【００１５】
本実施形態では、移動局装置は、複数のセルが設定される。移動局装置が複数のセルを介して通信する技術をセルアグリゲーション、またはキャリアアグリゲーションと称する。移動局装置に対して設定される複数のセルのそれぞれにおいて、本発明が適用されてもよい。また、設定された複数のセルの一部において、本発明が適用されてもよい。移動局装置に設定されるセルを、サービングセルとも称する。
【００１６】
設定された複数のサービングセルは、１つのプライマリーセルと１つまたは複数のセカンダリーセルとを含む。プライマリーセルは、初期コネクション構築（initial connection establishment）プロシージャが行なわれたサービングセル、コネクション再構築（connection re-establishment）プロシージャを開始したサービングセル、または、ハンドオーバプロシージャにおいてプライマリーセルと指示されたセルである。ＲＲＣコネクションが構築された時点、または、後に、セカンダリーセルが設定されてもよい。尚、複数のセルは、セルインデックス（セル識別子（cell identifier、cell identity）でもよい）によって識別されることが好ましい。プライマリーセルのセルインデックスは“０”である。セカンダリーセルのセルインデックスは“１”から“７”の整数の何れかであり、上位層によって設定される。例えば、１つのプライマリーセルと２つのセカンダリーセルにおいて通信が行われる場合、プライマリーセルのセルインデックスは“０”、第１のセカンダリーセルのセルインデックスは“１”、第２のセカンダリーセルのセルインデックスは“２”によって識別されてもよい。
【００１７】
本実施形態の無線通信システムは、ＴＤＤ（Time Division Duplex）方式が適用される。セルアグリゲーションの場合には、複数のセルの全てに対してＴＤＤ方式が適用されてもよい。また、セルアグリゲーションの場合には、ＴＤＤ方式が適用されるセルとＦＤＤ（Frequency Division Duplex）方式が適用されるセルが集約されてもよい。ＴＤＤが適用されるセルとＦＤＤが適用されるセルとが集約される場合に、ＴＤＤが適用されるセルに対して本発明を適用することができる。
【００１８】
移動局装置は、移動局装置によって通信がサポートされているバンドを示す情報を含むパラメータ（supportedBandListEUTRA）を、基地局装置に送信する。なお、パラメータ（supportedBandListEUTRA）は、移動局装置によって通信がサポートされていないバンドを示す情報を含んでもよい。なお、移動局装置によって通信がサポートされているバンドの数は限定されない。すなわち、移動局装置は１つのバンドでのみ通信をサポートしてもよいし、移動局装置は複数のバンドでの通信をサポートしてもよい。
【００１９】
パラメータ（supportedBandListEUTRA）は、端末能力情報（UECapabilityInformation）のメッセージとして移動局装置から送信されてもよい。
【００２０】
移動局装置は、移動局装置によってキャリアアグリゲーションがサポートされているバンドの組合せを示す情報を含むパラメータ（supportedBandCombination）を、基地局装置に送信する。なお、パラメータ（supportedBandCombination）は、移動局装置によってキャリアアグリゲーションがサポートされていないバンドを示す情報を含んでもよい。移動局装置は、バンドの組合せのそれぞれに対して、異なる複数のバンドにおける前記複数のサービングセルにおける同時送信および受信をサポートしているかどうかを指示する情報を、基地局装置に送信する。
【００２１】
パラメータ（supportedBandCombination）は、端末能力情報（UECapabilityInformation）のメッセージとして移動局装置から送信されてもよい。
【００２２】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２３】
図１は、本実施形態の無線通信システムの概念図である。図１において、無線通信システムは、移動局装置１Ａ〜１Ｃ、および基地局装置３を具備する。以下、移動局装置１Ａ〜１Ｃを移動局装置１という。
【００２４】
本実施形態の物理チャネルおよび物理信号について説明する。
【００２５】
図１において、移動局装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２６】
ＰＵＣＣＨは、上りリンク制御情報（Uplink Control Information: UCI）を送信するために用いられる物理チャネルである。上りリンク制御情報は、下りリンクのチャネル状態情報（Channel State Information: CSI）、ＰＵＳＣＨリソースの要求を示すスケジューリング要求（Scheduling Request: SR）、下りリンクデータ（Transport block, Downlink-Shared Channel: DL-SCH）に対するＡＣＫ（acknowledgement）／ＮＡＣＫ（negative-acknowledgement）を含む。ＡＣＫ／ＮＡＣＫを、ＨＡＲＱ−ＡＣＫ、ＨＡＲＱフィードバック、または、応答情報とも称する。
【００２７】
ＰＵＳＣＨは、上りリンクデータ（Uplink-Shared Channel: UL-SCH）を送信するために用いられる物理チャネルである。また、ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。
【００２８】
ＰＲＡＣＨは、ランダムアクセスプリアンブルを送信するために用いられる物理チャネルである。ＰＲＡＣＨは、移動局装置１が基地局装置３と時間領域の同期をとることを主な目的とする。その他に、ＰＲＡＣＨは、初期コネクション構築（initial connection establishment）プロシージャ、ハンドオーバプロシージャ、コネクション再構築（connection re-establishment）プロシージャ、上りリンク送信に対する同期（タイミング調整）、およびＰＵＳＣＨリソースの要求を示すためにも用いられる。
【００２９】
図１において、上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
【００３０】
本実施形態において、以下の２つのタイプの上りリンク参照信号が用いられる。
・ＤＭＲＳ（Demodulation Reference Signal）
・ＳＲＳ（Sounding Reference Signal）
【００３１】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００３２】
ＳＲＳは、ＰＵＳＣＨまたはＰＵＣＣＨの送信に関連しない。基地局装置３は、上りリンクのチャネル状態を測定するためにＳＲＳを使用する。移動局装置１は、上位層によって設定された第１のリソースにおいて第１のＳＲＳを送信する。さらに、移動局装置１は、ＰＤＣＣＨを介してＳＲＳの送信を要求することを示す情報を受信した場合に、上位層によって設定された第２のリソースにおいて第２のＳＲＳを１回のみ送信する。第１のＳＲＳをピリオディックＳＲＳまたはタイプ０トリガードＳＲＳとも称する。第２のＳＲＳをアピリオディックＳＲＳまたはタイプ１トリガードＳＲＳとも称する。アピリオディックＳＲＳの送信は、ＳＲＳの送信を要求することを示す情報によってスケジュールされる。
【００３３】
図１において、基地局装置３から移動局装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００３４】
ＰＢＣＨは、移動局装置１で共通に用いられるマスターインフォメーションブロック（Master Information Block: MIB, Broadcast Channel: BCH）を報知するために用いられる。ＭＩＢは、４０ms間隔で送信され、ＭＩＢは１０ｍｓ周期で繰り返し送信される。具体的には、SFN mod 4 = 0を満たす無線フレームにおけるサブフレーム０においてＭＩＢの初期送信が行なわれ、他の全ての無線フレームにおけるサブフレーム０においてＭＩＢの再送信（repetition）が行なわれる。ＳＦＮ（system frame number）は無線フレームの番号である。ＭＩＢはシステム情報である。例えば、ＭＩＢは、ＳＦＮを示す情報を含む。
【００３５】
ＰＣＦＩＣＨは、ＰＤＣＣＨの送信に用いられる領域（ＯＦＤＭシンボル）を指示する情報を送信するために用いられる。
【００３６】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。例えば、移動局装置１がＡＣＫを示すＨＡＲＱインディケータを受信した場合は、対応する上りリンクデータを再送しない。例えば、移動局装置１がＮＡＣＫを示すＨＡＲＱインディケータを受信した場合は、対応する上りリンクデータを再送する。単一のＰＨＩＣＨは、単一の上りリンクデータに対するＨＡＲＱインディケータを送信する。基地局装置３は、同一のＰＵＳＣＨに含まれる複数の上りリンクデータに対するＨＡＲＱインディケータのそれぞれを複数のＰＨＩＣＨを用いて送信する。
【００３７】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００３８】
下りリンクグラントは、単一のセル内の単一のＰＤＳＣＨのスケジューリングに用いられる。下りリンクグラントは、該下りリンクグラントが送信されたサブフレームと同じサブフレーム内のＰＤＳＣＨのスケジューリングに用いられる。上りリンクグラントは、単一のセル内の単一のＰＵＳＣＨのスケジューリングに用いられる。上りリンクグラントは、該上りリンクグラントが送信されたサブフレームより４つ以上後のサブフレーム内の単一のＰＵＳＣＨのスケジューリングに用いられる。
【００３９】
ＤＣＩフォーマットには、ＣＲＣ（Cyclic Redundancy Check）パリティビットが付加される。ＣＲＣパリティビットは、Ｃ−ＲＮＴＩ（Cell-Radio Network Temporary Identifier）、または、ＳＰＳ  Ｃ−ＲＮＴＩ（Semi Persistent Scheduling Cell-Radio Network Temporary Identifier）でスクランブルされる。Ｃ−ＲＮＴＩおよびＳＰＳ  Ｃ−ＲＮＴＩは、セル内において移動局装置を識別するための識別子である。
【００４０】
Ｃ−ＲＮＴＩは、単一のサブフレームにおけるＰＤＳＣＨまたはＰＵＳＣＨを制御するために用いられる。ＳＰＳ  Ｃ−ＲＮＴＩは、ＰＤＳＣＨまたはＰＵＳＣＨのリソースを周期的に割り当てるために用いられる。
【００４１】
ＰＤＳＣＨは、下りリンクデータ（Downlink Shared Channel: DL-SCH）を送信するために用いられる。
【００４２】
ＰＭＣＨは、マルチキャストデータ（Multicast Channel: MCH）を送信するために用いられる。
【００４３】
図１において、下りリンクの無線通信では、以下の下りリンク物理信号が用いられる。下りリンク物理信号は、上位層から出力された情報を送信するために使用されないが、物理層によって使用される。
・同期信号（Synchronization signal: SS）
・下りリンク参照信号（Downlink Reference Signal: DL RS）
【００４４】
同期信号は、移動局装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００４５】
下りリンク参照信号は、移動局装置１が下りリンク物理チャネルの伝搬路補正を行なうために用いられる。下りリンク参照信号は、移動局装置１が下りリンクのチャネル状態情報を算出するために用いられる。
【００４６】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００４７】
ＣＲＳは、サブフレームの全帯域で送信される。ＣＲＳは、ＰＢＣＨ／ＰＤＣＣＨ／ＰＨＩＣＨ／ＰＣＦＩＣＨ／ＰＤＳＣＨの復調を行なうために用いられる。ＣＲＳは、移動局装置１が下りリンクのチャネル状態情報を算出するために用いられてもよい。ＰＢＣＨ／ＰＤＣＣＨ／ＰＨＩＣＨ／ＰＣＦＩＣＨは、ＣＲＳの送信に用いられるアンテナポートで送信される。
【００４８】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。
【００４９】
ＰＤＳＣＨは、ＣＲＳまたはＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。ＤＣＩフォーマット２Ｄは、ＵＲＳの送信に用いられるアンテナポートで送信されるＰＤＳＣＨのスケジューリングに用いられる。
【００５０】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。
【００５１】
ＮＺＰ  ＣＳＩ−ＲＳは、設定されたサブフレームで送信される。ＮＺＰ  ＣＳＩ−ＲＳが送信されるリソースは、基地局装置が設定する。ＮＺＰ  ＣＳＩ−ＲＳは、移動局装置１が下りリンクのチャネル状態情報を算出するために用いられる。移動局装置１は、ＮＺＰ  ＣＳＩ−ＲＳを用いて信号測定（チャネル測定）を行なう。
【００５２】
ＺＰ  ＣＳＩ−ＲＳのリソースは、基地局装置３が設定する。基地局装置３は、ＺＰ  ＣＳＩ−ＲＳをゼロ出力で送信する。つまり、基地局装置３は、ＺＰ  ＣＳＩ−ＲＳを送信しない。基地局装置３は、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが対応するリソースにおいて、移動局装置１は、干渉を測定することができる。
【００５３】
ＭＢＳＦＮ  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信用いられるアンテナポートで送信される。
【００５４】
ＰＲＳは、移動局装置が、自装置の地理的な位置を測定するために用いられる。
【００５５】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００５６】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００５７】
以下、本実施形態の無線フレーム（radio frame）の構成について説明する。
【００５８】
図２は、本実施形態の無線フレームの概略構成を示す図である。無線フレームのそれぞれは、１０ｍｓ長である。図２において、横軸は時間軸である。また、無線フレームのそれぞれは２つのハーフフレームから構成される。ハーフフレームのそれぞれは、５ｍｓ長である。ハーフフレームのそれぞれは、５のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００５９】
本実施形態では、以下の３つのタイプのサブフレームを定義する。
・下りリンクサブフレーム（第１のサブフレーム）
・上りリンクサブフレーム（第２のサブフレーム）
・スペシャルサブフレーム（第３のサブフレーム）
【００６０】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。尚、スペシャルサブフレームは、ＤｗＰＴＳおよびＧＰのみによって構成されてもよいし、ＧＰおよびＵｐＰＴＳのみによって構成されてもよい。
【００６１】
単一の無線フレームは、少なくとも下りリンクサブフレーム、上りリンクサブフレーム、およびスペシャルサブフレームから構成される。
【００６２】
本実施形態の無線通信システムは、５ｍｓと１０ｍｓの下りリンク‐上りリンク・スイッチポイント周期（downlink-to-uplink switch-point periodicity）をサポートする。下りリンク‐上りリンク・スイッチポイント周期が５ｍｓの場合には、無線フレーム内の両方のハーフフレームにスペシャルサブフレームが含まれる。下りリンク‐上りリンク・スイッチポイント周期が１０ｍｓの場合には、無線フレーム内の最初のハーフフレームのみにスペシャルサブフレームが含まれる。
【００６３】
以下、本実施形態のスロットの構成について説明する。
【００６４】
図３は、本実施形態のスロットの構成を示す図である。本実施形態では、ＯＦＤＭシンボルに対してノーマルＣＰ（normal Cyclic Prefix）が適用される。尚、ＯＦＤＭシンボルに対して拡張ＣＰ（extended Cyclic Prefix）が適用されてもよい。スロットのそれぞれにおいて送信される物理信号または物理チャネルは、リソースグリッドによって表現される。図３において、横軸は時間軸であり、縦軸は周波数軸である。下りリンクにおいて、リソースグリッドは複数のサブキャリアと複数のＯＦＤＭシンボルによって定義される。上りリンクにおいて、リソースグリッドは複数のサブキャリアと複数のＳＣ−ＦＤＭＡシンボルによって定義される。１つのスロットを構成するサブキャリアの数は、セルの帯域幅に依存する。１つのスロットを構成するＯＦＤＭシンボルまたはＳＣ−ＦＤＭＡシンボルの数は７である。リソースグリッド内のエレメントのそれぞれをリソースエレメントと称する。リソースエレメントは、サブキャリアの番号とＯＦＤＭシンボルまたはＳＣ−ＦＤＭＡシンボルの番号とを用いて識別する。
【００６５】
リソースブロックは、ある物理チャネル（ＰＤＳＣＨまたはＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００６６】
以下、サブフレームのそれぞれにおいて送信される物理チャネルおよび物理信号について説明する。
【００６７】
図４は、本実施形態の下りリンクサブフレームにおける物理チャネルおよび物理信号の配置の一例を示す図である。図４において、横軸は時間軸であり、縦軸は周波数軸である。基地局装置３は、下りリンクサブフレームにおいて、下りリンク物理チャネル（ＰＢＣＨ、ＰＣＦＩＣＨ、ＰＨＩＣＨ、ＰＤＣＣＨ、ＥＰＤＣＣＨ、ＰＤＳＣＨ）、および下りリンク物理信号（同期信号、下りリンク参照信号）を送信してもよい。尚、ＰＢＣＨは無線フレーム内のサブフレーム０のみで送信される。尚、下りリンク参照信号は周波数領域および時間領域において分散するリソースエレメントに配置される。説明の簡略化のため図４において下りリンク参照信号は図示しない。
【００６８】
ＰＤＣＣＨ領域において、複数のＰＤＣＣＨが周波数および時間多重されてもよい。ＥＰＤＣＣＨ領域において、複数のＥＰＤＣＣＨが周波数、時間、および空間多重されてもよい。ＰＤＳＣＨ領域において、複数のＰＤＳＣＨが周波数および空間多重されてもよい。ＰＤＣＣＨとＰＤＳＣＨまたはＥＰＤＣＣＨは時間多重されてもよい。ＰＤＳＣＨとＥＰＤＣＣＨは周波数多重されてもよい。
【００６９】
図５は、本実施形態の上りリンクサブフレームにおける物理チャネルおよび物理信号の配置の一例を示す図である。図５において、横軸は時間軸であり、縦軸は周波数軸である。移動局装置１は、上りリンクサブフレームにおいて、上りリンク物理チャネル（ＰＵＣＣＨ、ＰＵＳＣＨ、ＰＲＡＣＨ）、および上りリンク物理信号（ＤＭＲＳ、ＳＲＳ）を送信してもよい。ＰＵＣＣＨ領域において、複数のＰＵＣＣＨが周波数、時間、および符号多重される。ＰＵＳＣＨ領域において、複数のＰＵＳＣＨが周波数および空間多重されてもよい。ＰＵＣＣＨとＰＵＳＣＨは周波数多重されてもよい。ＰＲＡＣＨは単一のサブフレームまたは２つのサブフレームにわたって配置されてもよい。また、複数のＰＲＡＣＨが符号多重されてもよい。
【００７０】
ＳＲＳは上りリンクサブフレーム内の最後のＳＣ−ＦＤＭＡシンボルを用いて送信される。つまり、ＳＲＳは上りリンクサブフレーム内の最後のＳＣ−ＦＤＭＡシンボルに配置される。移動局装置１は、単一のセルの単一のＳＣ−ＦＤＭＡシンボルにおいて、ＳＲＳとＰＵＣＣＨ／ＰＵＳＣＨ／ＰＲＡＣＨを同時に送信することはできない。移動局装置１は、単一のセルの単一の上りリンクサブフレームにおいて、該上りリンクサブフレーム内の最後のＳＣ−ＦＤＭＡシンボルを除くＳＣ−ＦＤＭＡシンボルを用いてＰＵＳＣＨおよび／またはＰＵＣＣＨを送信し、該上りリンクサブフレーム内の最後のＳＣ−ＦＤＭＡシンボルを用いてＳＲＳを送信することができる。つまり、単一のセルの単一の上りリンクサブフレームにおいて、移動局装置１は、ＳＲＳとＰＵＳＣＨ／ＰＵＣＣＨの両方を送信することができる。尚、ＤＭＲＳはＰＵＣＣＨまたはＰＵＳＣＨと時間多重される。説明の簡略化のため図５においてＤＭＲＳは図示しない。
【００７１】
図６は、本実施形態のスペシャルサブフレームにおける物理チャネルおよび物理信号の配置の一例を示す図である。図６において、横軸は時間軸であり、縦軸は周波数軸である。図６において、ＤｗＰＴＳはスペシャルサブフレーム内の１番目から１０番目のＳＣ−ＦＤＭＡシンボルから構成され、ＧＰはスペシャルサブフレーム内の１１番目と１２番目のＳＣ−ＦＤＭＡシンボルから構成され、ＵｐＰＴＳはスペシャルサブフレーム内の１３番目と１４番目のＳＣ−ＦＤＭＡシンボルから構成される。
【００７２】
基地局装置３は、スペシャルサブフレームのＤｗＰＴＳにおいて、ＰＣＦＩＣＨ、ＰＨＩＣＨ、ＰＤＣＣＨ、ＥＰＤＣＣＨ、ＰＤＳＣＨ、同期信号、および、下りリンク参照信号を送信してもよい。基地局装置３は、スペシャルサブフレームのＤｗＰＴＳにおいて、ＰＢＣＨを送信しない。移動局装置１は、スペシャルサブフレームのＵｐＰＴＳにおいて、ＰＲＡＣＨ、およびＳＲＳを送信してもよい。つまり、移動局装置１は、スペシャルサブフレームのＵｐＰＴＳにおいて、ＰＵＣＣＨ、ＰＵＳＣＨ、およびＤＭＲＳを送信しない。
【００７３】
図７は、本実施形態の移動局装置１の構成を示す概略ブロック図である。図示するように、移動局装置１は、上位層処理部１０１、制御部１０３、受信部１０５、送信部１０７と送受信アンテナ１０９を含んで構成される。また、上位層処理部１０１は、無線リソース制御部１０１１、サブフレーム設定部１０１３、スケジューリング情報解釈部１０１５、および、チャネル状態情報（ＣＳＩ）報告制御部１０１７を含んで構成される。また、受信部１０５は、復号化部１０５１、復調部１０５３、多重分離部１０５５、無線受信部１０５７と測定部１０５９を含んで構成される。また、送信部１０７は、符号化部１０７１、変調部１０７３、多重部１０７５、無線送信部１０７７と上りリンク参照信号生成部１０７９を含んで構成される。
【００７４】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００７５】
上位層処理部１０１が備える無線リソース制御部１０１１は、自装置の各種設定情報の管理をする。また、無線リソース制御部１０１１は、上りリンクの各チャネルに配置される情報を生成し、送信部１０７に出力する。
【００７６】
上位層処理部１０１が備えるサブフレーム設定部１０１３は、上りリンク‐下りリンク設定（uplink-downlink configuration）の管理をする。
【００７７】
サブフレーム設定部１０１３は、上りリンク‐下りリンク設定（uplink-downlink configuration）をセットする。また、サブフレーム設定部１０１３は、少なくとも２つのサブフレームセットをセットする。
【００７８】
上位層処理部１０１が備えるスケジューリング情報解釈部１０１５は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【００７９】
スケジューリング情報解釈部１０１５は、上りリンク‐下りリンク設定（uplink-downlink configuration）に基づいて、送信処理および受信処理を行うタイミングを決定する。
【００８０】
ＣＳＩ報告制御部１０１７は、ＣＳＩ参照リソースを特定する。ＣＳＩ報告制御部１０１７は、測定部１０５９に、ＣＳＩ参照リソースに関連するＣＱＩを導き出すよう指示する。ＣＳＩ報告制御部１０１７は、送信部１０７に、ＣＱＩを送信するよう指示をする。ＣＳＩ報告制御部１０１７は、測定部１０５９がＣＱＩを算出する際に用いる設定をセットする。
【００８１】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００８２】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【００８３】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【００８４】
多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号を測定部１０５９に出力する。
【００８５】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【００８６】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【００８７】
測定部１０５９は、多重分離部１０５５から入力された下りリンク参照信号から下りリンクのパスロスやチャネルの状態を測定し、測定したパスロスやチャネルの状態を上位層処理部１０１へ出力する。また、測定部１０５９は、下りリンク参照信号から下りリンクの伝搬路の推定値を算出し、多重分離部１０５５へ出力する。測定部１０５９は、ＣＱＩの算出のために、チャネル測定、および／または、干渉測定を行なう。
【００８８】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【００８９】
符号化部１０７１は、上位層処理部１０１から入力された上りリンク制御情報を畳込み符号化、ブロック符号化等の符号化を行う。また、符号化部１０７１は、ＰＵＳＣＨのスケジューリングに用いられる情報に基づきターボ符号化を行なう。
【００９０】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ  ＳＭ（Multiple Input Multiple Output Spatial Multiplexing）を用いることにより同一のＰＵＳＣＨで送信される複数の上りリンクデータを、複数の系列にマッピングし、この系列に対してプレコーディング（precoding）を行なう。
【００９１】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【００９２】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【００９３】
図８は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、サブフレーム設定部３０１３、スケジューリング部３０１５、および、ＣＳＩ報告制御部３０１７を含んで構成される。また、受信部３０５は、復号化部３０５１、復調部３０５３、多重分離部３０５５、無線受信部３０５７と測定部３０５９を含んで構成される。また、送信部３０７は、符号化部３０７１、変調部３０７３、多重部３０７５、無線送信部３０７７と下りリンク参照信号生成部３０７９を含んで構成される。
【００９４】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【００９５】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、移動局装置１各々の各種設定情報の管理をする。
【００９６】
上位層処理部３０１が備えるサブフレーム設定部３０１３は、上りリンク‐下りリンク設定（uplink-downlink configuration）の管理を、移動局装置１のそれぞれに対して行なう。
【００９７】
サブフレーム設定部３０１３は、移動局装置１のそれぞれに対して、上りリンク‐下りリンク設定（uplink-downlink configuration）をセットする。
【００９８】
サブフレーム設定部３０１３は、上りリンク‐下りリンク設定（uplink-downlink configuration）を示す情報を生成する。サブフレーム設定部３０１３は、送信部３０７を介して、情報を移動局装置１に送信する。
【００９９】
基地局装置３は、移動局装置１に対する、上りリンク‐下りリンク設定（uplink-downlink configuration）を決定してもよい。また、基地局装置３は、移動局装置１に対する、上りリンク‐下りリンク設定（uplink-downlink configuration）を上位ノードから指示されてもよい。
【０１００】
例えば、サブフレーム設定部３０１３は、上りリンクのトラフィック量および下りリンクのトラフィック量に基づいて、上りリンク‐下りリンク設定（uplink-downlink configuration）を決定してもよい。
【０１０１】
サブフレーム設定部３０１３は、少なくとも２つのサブフレームセットの管理を行なう。サブフレーム設定部３０１３は、移動局装置１のそれぞれに対して、少なくとも２つのサブフレームセットをセットしてもよい。サブフレーム設定部３０１３は、サービングセルのそれぞれに対して、少なくとも２つのサブフレームセットをセットしてもよい。サブフレーム設定部３０１３は、ＣＳＩプロセスのそれぞれに対して、少なくとも２つのサブフレームセットをセットしてもよい。
【０１０２】
サブフレーム設定部３０１３は、少なくとも２つのサブフレームセットを示す情報を、送信部３０７を介して、移動局装置１に送信する。
【０１０３】
上位層処理部３０１が備えるスケジューリング部３０１５は、受信したチャネル状態情報および測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１５は、フレキシブルサブフレームにおいて下りリンク物理チャネルおよび／または下りリンク物理信号をスケジュールするか、上りリンク物理チャネルおよび／または上りリンク物理信号をスケジュールするかを決定する。スケジューリング部３０１５は、スケジューリング結果に基づき、受信部３０５、および送信部３０７の制御を行なうために制御情報（例えば、ＤＣＩフォーマット）を生成し、制御部３０３に出力する。
【０１０４】
スケジューリング部３０１５は、スケジューリング結果に基づき、物理チャネル（ＰＤＳＣＨおよびＰＵＳＣＨ）のスケジューリングに用いられる情報を生成する。スケジューリング部３０１５は、さらに、第１の上りリンク参照ＵＬ−ＤＬ設定、第１の下りリンク参照ＵＬ−ＤＬ設定、第２の上りリンク参照ＵＬ−ＤＬ設定、第２の下りリンク参照ＵＬ−ＤＬ設定、および／または、送信方向ＵＬ−ＤＬ設定に基づいて、送信処理および受信処理を行うタイミングを決定する。
【０１０５】
上位層処理部３０１が備えるＣＳＩ報告制御部３０１７は、移動局装置１のＣＳＩ報告を制御する。ＣＳＩ報告制御部３０１７は、移動局装置１がＣＳＩ参照リソースにおいてＣＱＩを導き出すために想定する、各種設定を示す情報を、送信部３０７を介して、移動局装置１に送信する。
【０１０６】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１０７】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１０８】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【０１０９】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。また、多重分離部３０５５は、測定部３０５９から入力された伝搬路の推定値から、ＰＵＣＣＨとＰＵＳＣＨの伝搬路の補償を行なう。また、多重分離部３０５５は、分離した上りリンク参照信号を測定部３０５９に出力する。
【０１１０】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置１各々に上りリンクグラントで予め通知した変調方式を用いて受信信号の復調を行なう。復調部３０５３は、移動局装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０１１１】
復号化部３０５１は、復調されたＰＵＣＣＨとＰＵＳＣＨの符号化ビットを、予め定められた符号化方式の、予め定められた、又は自装置が移動局装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。測定部３０９は、多重分離部３０５５から入力された上りリンク参照信号から伝搬路の推定値、チャネルの品質などを測定し、多重分離部３０５５および上位層処理部３０１に出力する。
【０１１２】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ３０９を介して移動局装置１に信号を送信する。
【０１１３】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１１４】
下りリンク参照信号生成部３０７９は、基地局装置３を識別するための物理セル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０１１５】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１１６】
以下、上りリンク‐下りリンク設定（uplink-downlink configuration）について説明する。
【０１１７】
図９は、本実施形態における上りリンク−下りリンク設定の一例を示す表である。図９において、Ｄは下りリンクサブフレームを示し、Ｕは上りリンクサブフレームを示し、Ｓはスペシャルサブフレームを示す。
【０１１８】
図９の上りリンク−下りリンク設定が０から６の場合において、無線フレーム内のサブフレーム１は、常にスペシャルサブフレームである。図９の上りリンク−下りリンク設定が０から６の場合において、サブフレーム０と５は常に下りリンク送信のためにリザーブ（予約）され、サブフレーム２は常に上りリンク送信のためにリザーブされる。
【０１１９】
図９の上りリンク−下りリンク設定が０から６の場合において、下りリンク−上りリンク・スイッチポイント周期が５ｍｓの場合に、無線フレーム内のサブフレーム６はスペシャルサブフレームであり、下りリンク−上りリンク・スイッチポイント周期が１０ｍｓの場合に、無線フレーム内のサブフレーム６は下りリンクサブフレームである。
【０１２０】
図９の上りリンク−下りリンク設定が７の場合において、無線フレーム内のサブフレームは、全て下りリンクサブフレームである。すなわち、図９の上りリンク−下りリンク設定が７の場合において、無線フレーム内のサブフレームは、全て下りリンク送信のためにリザーブされている。すなわち、無線フレーム内のサブフレーム１は、スペシャルサブフレームではない。すなわち、図９の上りリンク−下りリンク設定が７の場合において、サブフレーム０と５は下りリンク送信のためにリザーブされず、サブフレーム２は上りリンク送信のためにリザーブされない。
【０１２１】
図９の上りリンク−下りリンク設定が７の場合において、下りリンク−上りリンク・スイッチポイント周期は存在しない。
【０１２２】
以下、上りリンク−下りリンク設定のセッティング方法ついて説明する。
【０１２３】
基地局装置３は、上りリンク−下りリンク設定をセットする。基地局装置３は、上りリンク−下りリンク設定を示す情報（TDD-Config）を、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の少なくとも１つに含めて送信してもよい。また、基地局装置３は、状況に応じて、上りリンク−下りリンク設定を示す情報（TDD-Config）を、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の何れかに含めてもよい。
【０１２４】
複数のサービングセルのそれぞれに対して、上りリンク−下りリンク設定が定義されてもよい。
【０１２５】
基地局装置３は、サービングセルのそれぞれに対する、上りリンク−下りリンク設定を示す情報（TDD-Config）を、複数のサービングセルが設定された移動局装置１に送信する。尚、サービングセルのそれぞれに対して、上りリンク−下りリンク設定を示す情報（TDD-Config）が定義されてもよい。
【０１２６】
基地局装置３は、１つのプライマリーセルおよび少なくとも１つのセカンダリーセルから構成されるサービングセルが設定された移動局装置１に対して、プライマリーセルに対する上りリンク−下りリンク設定を示す情報（TDD-Config）、セカンダリーセルに対する上りリンク−下りリンク設定を示す情報（TDD-Config）を送信してもよい。尚、複数のセカンダリーセルに対する１つの上りリンク−下りリンク設定を示す情報（TDD-Config）を送信してもよい。すなわち、複数のセカンダリーセルに対して共通の上りリンク−下りリンク設定を設定してもよい。
【０１２７】
複数のサービングセルが設定された移動局装置１は、サービングセルのそれぞれに対して、上りリンク−下りリンク設定を示す情報（TDD-Config）に基づいて、上りリンク−下りリンク設定をセットしてもよい。
【０１２８】
１つのプライマリーセルおよび少なくとも１つのセカンダリーセルから構成されるサービングセルが設定された移動局装置１は、プライマリーセルに対する上りリンク−下りリンク設定、セカンダリーセルに対する上りリンク−下りリンク設定をセットしてもよい。尚、移動局装置１は、複数のセカンダリーセルに対して共通の上りリンク−下りリンク設定を設定してもよい。
【０１２９】
プライマリーセルに対する上りリンク−下りリンク設定を示す情報（TDD-Config）は、システムインフォメーションブロックタイプ１メッセージ、システムインフォメーションメッセージ、ＲＲＣメッセージ、または、物理層の制御情報（例えば、ＤＣＩフォーマット）に含まれることが好ましい。セカンダリーセルに対する上りリンク−下りリンク設定を示す情報（TDD-Config）は、システムインフォメーションブロックタイプ１メッセージ、システムインフォメーションメッセージ、ＲＲＣメッセージ、または、物理層の制御情報（例えば、ＤＣＩフォーマット）に含まれることが好ましい。
【０１３０】
上りリンク−下りリンク設定を示す情報（TDD-Config）は、セル内の複数の移動局装置１に対して共通であってもよいし、セル内の移動局装置１に対して専用であってもよい。
【０１３１】
上りリンク−下りリンク設定７は、セカンダリーセルのみに設定できる。すなわち、プライマリーセルは上りリンク−下りリンク設定０〜６のいずれかが設定され、セカンダリーセルは上りリンク−下りリンク設定０〜７のいずれかが設定される。
【０１３２】
また、デュアルコネクティビティが設定される場合、プライマリーセカンダリーセル（ｐＳＣｅｌｌ）に対しても上りリンク−下りリンク設定７が設定できる。プライマリーセカンダリーセルの詳細は後述する。すなわち、プライマリーセカンダリーセルは上りリンク−下りリンク設定０〜７のいずれかが設定される。
【０１３３】
システムインフォメーションブロックタイプ１メッセージは、SFN mod 8 = 0を満たす無線フレームのサブフレーム５においてＰＤＳＣＨを介して初期送信が行われ、SFN mod 2= 0を満たす他の無線フレームにおけるサブフレーム５において再送信（repetition）が行なわれる。システムインフォメーションブロックタイプ１メッセージは、スペシャルサブフレームの構成（ＤｗＰＴＳ、ＧＰ、およびＵｐＰＴＳの長さ）を示す情報を含む。システムインフォメーションブロックタイプ１メッセージは、セル固有の情報である。
【０１３４】
システムインフォメーションメッセージは、ＰＤＳＣＨを介して伝送される。システムインフォメーションメッセージは、セル固有の情報である。システムインフォメーションメッセージは、システムインフォメーションブロックタイプ１以外のシステムインフォメーションブロックＸを含む。
【０１３５】
ＲＲＣメッセージはＰＤＳＣＨを介して伝送される。ＲＲＣメッセージは、ＲＲＣ層において処理される情報／信号である。ＲＲＣメッセージは、セル内の複数の移動局装置１に対して共通であってもよいし、特定の移動局装置１に対して専用であってもよい。
【０１３６】
ＭＡＣ  ＣＥはＰＤＳＣＨを介して送信される。ＭＡＣ  ＣＥは、ＭＡＣ層において処理される情報／信号である。
【０１３７】
以下では、移動局装置１の能力（機能）を基地局装置３に通知する方法を説明する。移動局装置１は、上位レイヤー（ＲＲＣ）のシグナリングを通じて、基地局装置３に移動局装置１の能力を通知する。
【０１３８】
基地局装置３は、端末能力問い合わせ（UECapabilityEnquiry）のメッセージを移動局装置１に送信する。端末能力問い合わせのメッセージは、移動局装置１の無線アクセス能力の送信を要求するために用いられる。移動局装置１は、端末能力問い合わせのメッセージに基づいて、端末能力情報（UECapabilityInformation）のメッセージを基地局装置３に送信する。端末能力情報のメッセージは、基地局装置３によって要求された移動局装置１の無線アクセス能力を送信するために用いられる。端末能力情報のメッセージは、端末能力（UE-EUTRA-Capability）の情報エレメントを含む。UE-EUTRA-Capabilityは、基地局装置３における移動局装置１の無線アクセス能力パラメータと、必須機能のためのＦＧＩ（Feature group indicator）をネットワークに対して伝達するために用いられる。
【０１３９】
UE-EUTRA-Capabilityは、少なくとも無線周波数に関するパラメータ（RF-Parameters）と、物理レイヤーに関するパラメータ（PhyLayerParameters）とを含む。RF-Parametersは、少なくとも移動局装置１がサポートするバンドのリスト（supportedBandListEUTRA）、および／または、移動局装置１がサポートするバンドの組み合わせ（supportedBandCombination）を含む。supportedBandListEUTRAは、移動局装置１がサポートするバンド（SupportedBandEUTRA）のリストである。supportedBandCombinationは、移動局装置１がサポートするバンドの組み合わせに関するパラメータ（BandCombinationParameters）のリストである。
【０１４０】
SupportedBandEUTRAは、少なくとも移動局装置１がサポートするバンドを示す識別子（FreqBandIndicator）と、そのバンドにおいて半二重通信がサポートされるか全二重通信がサポートされるかを示す情報（halfDuplex）とを含む。なお、移動局装置１によって通信がサポートされているバンドの数は限定されない。すなわち、移動局装置１は１つのバンドでのみ通信をサポートしてもよいし、移動局装置１は複数のバンドでの通信をサポートしてもよい。
【０１４１】
BandCombinationParametersは、移動局装置１がサポートするバンドの組み合わせにおける各バンドに関するパラメータ（BandParameters）を含む。BandParametersは、そのバンドを示す識別子（FreqBandIndicator）と、そのバンドにおける上りリンクに関するパラメータ（BandParametersUL）と、そのバンドにおける下りリンクに関するパラメータ（BandParametersDL）と、を含む。BandParametersULは、上りリンクにおけるＣＡとＭＩＭＯに関するパラメータ（CA-MIMO-ParametersUL）のリストである。BandParametersDLは、下りリンクにおけるＣＡとＭＩＭＯに関するパラメータ（CA-MIMO-ParametersDL）のリストである。CA-MIMO-ParametersULは、上りリンクにおけるＣＡバンド幅クラスを示す情報（CA-BandwidthClass）と、上りリンクにおいてサポートされるＭＩＭＯのレイヤー数に関する情報（MIMO-CapabilityUL）とを含む。CA-MIMO-ParametersDLは、下りリンクにおけるＣＡバンド幅クラスを示す情報（CA-BandwidthClass）と、下りリンクにおいてサポートされるＭＩＭＯのレイヤー数に関する情報（MIMO-CapabilityDL）とを含む。CA-BandwidthClassにおいて、移動局装置１はそのバンドの組み合わせに関するシグナリングの中で全てのサポートされるＣＡバンド幅クラスを明示的に含める。
【０１４２】
以下、説明のため、上りリンク−下りリンク設定０−７に関する機能（能力）のサポートに関する情報（追加の上りリンク−下りリンク設定７を含む、全ての上りリンク−下りリンク設定に関する機能をサポートしているか否かを示す情報）を第１の上りリンク−下りリンク設定に関する機能のサポートに関する情報と称し、上りリンク−下りリンク設定７に関する機能（能力）のサポートに関する情報（追加の上りリンク−下りリンク設定７に関する機能をサポートしているか否かを示す情報）を第２の上りリンク−下りリンク設定に関する機能のサポートに関する情報と称する。尚、第２の上りリンク−下りリンク設定に関する機能のサポートに関する情報は、上りリンク−下りリンク設定７のみに関する機能（能力）のサポートに関する情報、すなわち、上りリンク−下りリンク設定０−６に関する機能（能力）をサポートしないことを示す情報であってもよい。
【０１４３】
移動局装置１は、第１の上りリンク−下りリンク設定に関する機能のサポートに関する情報を、移動局装置１によって通信がサポートされているバンド毎（移動局装置１が通信の機能を持っているバンド毎）に保持（設定）していてもよい。すなわち、追加の上りリンク−下りリンク設定７を含む、全ての上りリンク−下りリンク設定に関する機能をサポートしているか否かは、移動局装置１によって通信がサポートされているバンド毎に予め設定されていてもよい。
【０１４４】
移動局装置１は、第２の上りリンク−下りリンク設定に関する機能のサポートに関する情報を、移動局装置１によって通信がサポートされているバンド毎（移動局装置１が通信の機能を持っているバンド毎）に保持（設定）していてもよい。すなわち、追加の上りリンク−下りリンク設定７に関する機能をサポートしているか否かは、移動局装置１によって通信がサポートされているバンド毎に予め設定されていてもよい。
【０１４５】
移動局装置１によってサポートされているバンドは、移動局装置１によってサポートされているバンドのリストを示す情報を含むパラメータ（supportedBandListEUTRA）によって示されるバンドであることが好ましい。尚、パラメータ（supportedBandListEUTRA）は、端末能力情報（UECapabilityInformation）のメッセージとして移動局装置１から送信されてもよい。
【０１４６】
移動局装置１は、第１の上りリンク−下りリンク設定に関する機能のサポートに関する情報を、移動局装置１によってキャリアアグリゲーションがサポートされているバンドの組合せに対応するバンド毎（移動局装置１がキャリアアグリゲーションの機能を持っているバンドの組み合わせに対応するバンド毎）に保持（設定）していてもよい。すなわち、追加の上りリンク−下りリンク設定７を含む、全ての上りリンク−下りリンク設定に関する機能をサポートしているか否かは、移動局装置１によってキャリアアグリゲーションがサポートされているバンドの組み合わせに対応するバンド毎に予め設定されていてもよい。
【０１４７】
移動局装置１は、第２の上りリンク−下りリンク設定に関する機能のサポートに関する情報を、移動局装置１によってキャリアアグリゲーションがサポートされているバンドの組合せに対応するバンド毎（移動局装置１がキャリアアグリゲーションの機能を持っているバンドの組み合わせに対応するバンド毎）に保持（設定）していてもよい。すなわち、追加の上りリンク−下りリンク設定７に関する機能をサポートしているか否かは、移動局装置１によってキャリアアグリゲーションがサポートされているバンドの組み合わせに対応するバンド毎に予め設定されていてもよい。
【０１４８】
移動局装置１は、第１の上りリンク−下りリンク設定に関する機能のサポートに関する情報を、移動局装置１によってキャリアアグリゲーションがサポートされているバンドの組合せ毎（移動局装置１がキャリアアグリゲーションの機能を持っているバンドの組み合わせ毎）に保持（設定）していてもよい。すなわち、追加の上りリンク−下りリンク設定７を含む、全ての上りリンク−下りリンク設定に関する機能をサポートしているか否かは、移動局装置１によってキャリアアグリゲーションがサポートされているバンドの組み合わせ毎に予め設定されていてもよい。
【０１４９】
移動局装置１は、第２の上りリンク−下りリンク設定に関する機能のサポートに関する情報を、移動局装置１によってキャリアアグリゲーションがサポートされているバンドの組合せ毎（移動局装置１がキャリアアグリゲーションの機能を持っているバンドの組み合わせ毎）に保持（設定）していてもよい。すなわち、追加の上りリンク−下りリンク設定７に関する機能をサポートしているか否かは、移動局装置１によってキャリアアグリゲーションがサポートされているバンドの組み合わせ毎に予め設定されていてもよい。
【０１５０】
移動局装置１によってキャリアアグリゲーションがサポートされているバンドの組合せは、移動局装置１によってキャリアアグリゲーションがサポートされているバンドの組合せを示す情報を含むパラメータ（supportedBandCombination）によって示されるバンドの組み合わせであることが好ましい。尚、パラメータ（supportedBandCombination）は、端末能力情報（UECapabilityInformation）のメッセージとして移動局装置１から送信されてもよい。
【０１５１】
ここで、移動局装置１は、第１の上りリンク−下りリンク設定に関する機能のサポートに関する情報、および／または、第２の上りリンク−下りリンク設定に関する機能のサポートに関する情報を基地局装置３に送信してもよい。尚、第２の上りリンク−下りリンク設定に関する機能のサポートに関する情報を送信する場合は、上りリンク−下りリンク設定０−６に関する機能（能力）のサポートに関する情報（第３の上りリンク−下りリンク設定に関する機能のサポートに関する情報）を送信してもよい。尚、第１の上りリンク−下りリンク設定に関する機能のサポートに関する情報、および／または、第２の上りリンク−下りリンク設定に関する機能のサポートに関する情報は、端末能力情報（UECapabilityInformation）のメッセージ、または、ＦＧＩ（Feature group indicators）として送信されてもよい。例えば、第１の上りリンク−下りリンク設定に関する機能のサポートに関する情報、および／または、第２の上りリンク−下りリンク設定に関する機能のサポートに関する情報は、端末能力情報（UECapabilityInformation）のメッセージ、または、ＦＧＩとして、上位層の信号（例えば、ＲＲＣメッセージ）に含まれて送信されてもよい。
【０１５２】
第１の上りリンク−下りリンク設定に関する機能のサポートに関する情報、および／または、第２の上りリンク−下りリンク設定に関する機能のサポートに関する情報は、移動局装置１が該情報に対応する機能をサポートしている場合にのみ送信されてもよい。すなわち、移動局装置１が該情報に対応する機能をサポートしていない場合に第１の上りリンク−下りリンク設定に関する機能のサポートに関する情報、および／または、第２の上りリンク−下りリンク設定に関する機能のサポートに関する情報は送信されなくてもよい。
【０１５３】
第１の上りリンク−下りリンク設定に関する機能のサポートに関する情報、および／または、第２の上りリンク−下りリンク設定に関する機能のサポートに関する情報は、移動局装置１が該情報に対応する機能をサポートしている場合は“１”、移動局装置１が該情報に対応する機能をサポートしていない場合は“０”が送信されてもよい。
【０１５４】
第１の上りリンク−下りリンク設定に関する機能のサポートに関する情報、および／または、第２の上りリンク−下りリンク設定に関する機能のサポートに関する情報は、移動局装置１が該情報に対応する機能をサポートしている場合は“Ｔｒｕｅ”、移動局装置１が該情報に対応する機能をサポートしていない場合は“Ｆａｌｓｅ”が送信されてもよい。
【０１５５】
ここで、例えば、端末能力情報（UECapabilityInformation）のメッセージは、オプション機能が、実装され、かつ、正常にテストされたかどうかを示すパラメータであってもよい。また、端末能力情報（UECapabilityInformation）のメッセージは、該パラメータを伴う必須機能が正常にテストされたかどうかを示すパラメータであってもよい。また、ＦＧＩとは、所定の表（テーブル）に記載されている機能グループのための全ての機能が、実装され、かつ、正常にテストされた場合の特定の指標であってもよい。
【０１５６】
例えば、第１の上りリンク−下りリンク設定に関する機能のサポートに関する情報、および／または、第２の上りリンク−下りリンク設定に関する機能のサポートに関する情報は、物理レイヤーに関するパラメータ（PhyLayerParameters）に含まれてもよい。すなわち、移動局装置１が、該端末装置１が通信をサポートしているバンドに関わらず、上りリンク−下りリンク設定０−７に関する機能（能力）をサポートしているか否か、および／または、上りリンク−下りリンク設定７に関する機能（能力）をサポートしているか否か、を通知してもよい。
【０１５７】
例えば、第１の上りリンク−下りリンク設定に関する機能のサポートに関する情報、および／または、第２の上りリンク−下りリンク設定に関する機能のサポートに関する情報は、無線周波数に関するパラメータ（RF-Parameters）に含まれてもよい。すなわち、移動局装置１が、該端末装置１が通信をサポートしているバンド毎に、上りリンク−下りリンク設定０−７に関する機能（能力）をサポートしているか否か、および／または、上りリンク−下りリンク設定７に関する機能（能力）をサポートしているか否か、を通知してもよい。
【０１５８】
例えば、第１の上りリンク−下りリンク設定に関する機能のサポートに関する情報、および／または、第２の上りリンク−下りリンク設定に関する機能のサポートに関する情報は、移動局装置１がサポートするバンドであるSupportedBandEUTRAのリストであるsupportedBandListEUTRAに含まれてもよい。尚、第１の上りリンク−下りリンク設定に関する機能のサポートに関する情報、および／または、第２の上りリンク−下りリンク設定に関する機能のサポートに関する情報は、SupportedBandEUTRAに含まれる移動局装置１がサポートするバンドを示す識別子であるFreqBandIndicatorに対応するバンド毎に保持（設定）され、かつ、端末能力情報（UECapabilityInformation）のメッセージとして移動局装置１から送信されてもよい。
【０１５９】
例えば、第１の上りリンク−下りリンク設定に関する機能のサポートに関する情報、および／または、第２の上りリンク−下りリンク設定に関する機能のサポートに関する情報は、移動局装置１がサポートするバンドの組み合わせに関するパラメータであるBandCombinationParametersのリストであるsupportedBandCombinationに含まれてもよい。尚、第１の上りリンク−下りリンク設定に関する機能のサポートに関する情報、および／または、第２の上りリンク−下りリンク設定に関する機能のサポートに関する情報は、BandCombinationParametersに含まれる移動局装置１がサポートするバンドの組み合わせにおける各バンドに関するパラメータであるBandParametersに含まれるバンドを示す識別子であるFreqBandIndicatorに対応するバンド毎に保持（設定）され、かつ、端末能力情報（UECapabilityInformation）のメッセージとして移動局装置１から送信されてもよい。
【０１６０】
例えば、第１の上りリンク−下りリンク設定に関する機能のサポートに関する情報、および／または、第２の上りリンク−下りリンク設定に関する機能のサポートに関する情報は、BandParametersに含まれるそのバンドにおける上りリンクにおけるＣＡとＭＩＭＯに関するパラメータであるCA-MIMO-ParametersULのリストであるBandParametersULに含まれてもよい。尚、第１の上りリンク−下りリンク設定に関する機能のサポートに関する情報、および／または、第２の上りリンク−下りリンク設定に関する機能のサポートに関する情報は、CA-MIMO-ParametersULに含まれる上りリンクにおけるＣＡバンド幅クラスを示す情報であるCA-BandwidthClass、または、CA-MIMO-ParametersULに含まれる上りリンクにおいてサポートされるＭＩＭＯのレイヤー数に関する情報であるMIMO-CapabilityULに含まれてもよい。
【０１６１】
例えば、第１の上りリンク−下りリンク設定に関する機能のサポートに関する情報、および／または、第２の上りリンク−下りリンク設定に関する機能のサポートに関する情報は、BandParametersに含まれるそのバンドにおける下りリンクにおけるＣＡとＭＩＭＯに関するパラメータであるCA-MIMO-ParametersDLのリストであるBandParametersDLに含まれてもよい。尚、第１の上りリンク−下りリンク設定に関する機能のサポートに関する情報、および／または、第２の上りリンク−下りリンク設定に関する機能のサポートに関する情報は、CA-MIMO-ParametersDLに含まれる下りリンクにおけるＣＡバンド幅クラスを示す情報であるCA-BandwidthClass、または、CA-MIMO-ParametersDLに含まれる下りリンクにおいてサポートされるＭＩＭＯのレイヤー数に関する情報であるMIMO-CapabilityDLに含まれてもよい。
【０１６２】
例えば、PhyLayerParametersに、第１の上りリンク−下りリンク設定に関する機能のサポートに関する情報、および／または、第２の上りリンク−下りリンク設定に関する機能のサポートに関する情報が含まれ（移動局装置１が該情報に対応する機能をサポートし）、かつ、BandCombinationParametersに含まれるBandParametersに含まれるバンドを示す識別子であるFreqBandIndicatorに対応するバンドがＴＤＤ方式である場合、該ＴＤＤ方式のバンドにおいて、第１の上りリンク−下りリンク設定に関する機能のサポートに関する情報、および／または、第２の上りリンク−下りリンク設定に関する機能のサポートに関する情報に対応する機能がサポートされてもよい。
【０１６３】
例えば、PhyLayerParametersに、第１の上りリンク−下りリンク設定に関する機能のサポートに関する情報、および／または、第２の上りリンク−下りリンク設定に関する機能のサポートに関する情報が含まれ（移動局装置１が該情報に対応する機能をサポートし）、かつ、BandCombinationParametersに含まれるBandParametersに含まれるバンドを示す識別子であるFreqBandIndicatorに対応するバンドがＴＤＤ方式であり、かつ、該ＴＤＤ方式のバンドのBandParametersに含まれるパラメータ（dl-only）が“１”もしくは“Ｔｒｕｅ”の場合、該ＴＤＤ方式のバンドにおいて、第１の上りリンク−下りリンク設定に関する機能のサポートに関する情報、および／または、第２の上りリンク−下りリンク設定に関する機能のサポートに関する情報に対応する機能がサポートされてもよい。
【０１６４】
例えば、PhyLayerParametersに、第１の上りリンク−下りリンク設定に関する機能のサポートに関する情報、および／または、第２の上りリンク−下りリンク設定に関する機能のサポートに関する情報が含まれ（移動局装置１が該情報に対応する機能をサポートし）、かつ、BandCombinationParametersに含まれるBandParametersに含まれるバンドを示す識別子であるFreqBandIndicatorに対応するバンドがＴＤＤ方式であり、かつ、該ＴＤＤ方式のバンドのBandParametersに含まれるパラメータ（dl-only）が“０”もしくは“Ｆａｌｓｅ”の場合、該ＴＤＤ方式のバンドにおいて、上りリンク−下りリンク設定０−６に関する機能のみがサポートされてもよい（第１の上りリンク−下りリンク設定に関する機能のサポートに関する情報、および／または、第２の上りリンク−下りリンク設定に関する機能のサポートに関する情報に対応する機能がサポートされなくてもよい）。
【０１６５】
例えば、PhyLayerParametersに、第１の上りリンク−下りリンク設定に関する機能のサポートに関する情報、および／または、第２の上りリンク−下りリンク設定に関する機能のサポートに関する情報が含まれない（移動局装置１が該情報に対応する機能をサポートしない）、かつ、BandCombinationParametersに含まれるBandParametersに含まれるバンドを示す識別子であるFreqBandIndicatorに対応するバンドがＴＤＤ方式である場合、該ＴＤＤ方式のバンドにおいて、上りリンク−下りリンク設定０−６に関する機能のみがサポートされてもよい（第１の上りリンク−下りリンク設定に関する機能のサポートに関する情報、および／または、第２の上りリンク−下りリンク設定に関する機能のサポートに関する情報に対応する機能がサポートされなくてもよい）。
【０１６６】
以下、免許不要バンド（アンライセンスバンド）について説明する。
【０１６７】
免許バンド（ライセンスバンド）とは、政府または周波数管理者によって免許が与えられるバンドであって、電気通信業務用に使用されるバンドである。免許不要バンド（アンライセンスバンド）とは、無線LAN等の特定小電力無線局で使用される免許を必要としないバンドである。例えば、アンライセンスバンドは２．４ＧＨｚ、および／または、５ＧＨｚ（５１５０−５３５０ＭＨｚ、５４７０−５７２５ＭＨｚ、５７２５−５８５０ＭＨｚ）であってもよい。
【０１６８】
例えば、アンライセンスバンドにおいてＬＴＥに基づく通信を可能とし、ライセンスバンドのセルとアンライセンスバンドのセルでセルアグリゲーションを行うことで、効率的な通信が可能となる。
【０１６９】
ライセンスバンドのセルとアンライセンスバンドのセルのセルアグリゲーションは、ライセンスバンドのセルをプライマリーセルに設定し、アンライセンスバンドのセルをセカンダリーセルに設定することが好ましい。
【０１７０】
ライセンスバンドのセルは制御データとユーザーデータの通信に用いられ、アンライセンスバンドのセルはユーザーデータの通信に用いられることが好ましい。尚、アンライセンスバンドのセルは下りリンクの通信に使用される無線リソースのみが存在することが好ましい、換言すると、アンライセンスバンドのセルは上りリンクの通信に使用される無線リソースが存在しないことが好ましい。すなわち、アンライセンスバンドのセルは下りリンクのユーザーデータ送信のみに使用されることが好ましい。
【０１７１】
ライセンスバンドのセルは、ＦＤＤ方式、または、上りリンク−下りリンク設定０〜６を用いるＴＤＤ方式が適用されることが好ましい。
【０１７２】
アンライセンスバンドのセルは、下りリンクの通信に使用される無線リソース（下りリンクキャリア）のみが存在するＦＤＤ方式、または、上りリンク−下りリンク設定７を用いるＴＤＤ方式が適用されることが好ましい。
【０１７３】
基地局装置３は、アンライセンスバンドのセルにおける通信と、同一周波数を使用する他の無線通信システムにおける通信との衝突を避けるための衝突回避手段を備えることが好ましい。例えば、基地局装置がアンライセンスバンドのセルにおける通信を開始する前に、送信しようとする周波数（チャネル）の利用状況を検知して、同一周波数で複数の搬送波を送信しないよう、通信中であれば一定時間たってから再度通信を試みる機能（キャリアセンス、LBT: Listen Before Talk）を備えることが好ましい。
【０１７４】
基地局装置３と移動局装置１の通信に使用可能なバンド（E-UTRA operating bands）は、基地局装置３と移動局装置１が共有するテーブルによって管理されてもよい。例えば、通信に使用可能なバンド（E-UTRA operating bands）はインデックスで管理され、所定のインデックスに対応するバンドがライセンスバンドであり、所定のインデックスに対応するバンドがアンライセンスバンドであってもよい。尚、通信に使用可能なバンド（E-UTRAoperating bands）のインデックスはFreqBandIndicatorとして端末能力情報（UECapabilityInformation）のメッセージとして移動局装置１から送信されてもよい。尚、通信に使用可能なバンド（E-UTRA operating bands）のインデックスは、上りリンクとして運用されるバンドと下りリンクとして運用されるバンドと多重化モード（ＦＤＤ方式、または、ＴＤＤ方式）が関連付けられていることが好ましい。
【０１７５】
移動局装置１がアンライセンスバンドでの通信に関する機能（能力）をサポートしている場合、アンライセンスバンドでの通信に関する機能をサポートしているか否かを基地局装置３に通知してもよい。すなわち、アンライセンスバンドでの通信に関する機能のサポートに関する情報を端末能力情報（UECapabilityInformation）のメッセージとして移動局装置１から送信されてもよい。例えば、アンライセンスバンドでの通信に関する機能のサポートに関する情報は、物理レイヤーに関するパラメータ（PhyLayerParameters）に含まれてもよい。
【０１７６】
移動局装置１がアンライセンスバンドでの通信に関する機能をサポートしている場合、アンライセンスバンドでの通信に関する機能のサポートに関する情報はバンド毎に保持（設定）され、かつ、端末能力情報（UECapabilityInformation）のメッセージとして移動局装置１から送信されてもよい。例えば、アンライセンスバンドでの通信に関する機能のサポートに関する情報は、無線周波数に関するパラメータ（RF-Parameters）に含まれてもよい。
【０１７７】
例えば、アンライセンスバンドでの通信に関する機能のサポートに関する情報は、移動局装置１がサポートするバンドであるSupportedBandEUTRAのリストであるsupportedBandListEUTRAに含まれてもよい。尚、アンライセンスバンドでの通信に関する機能のサポートに関する情報は、SupportedBandEUTRAに含まれる移動局装置１がサポートするバンドを示す識別子であるFreqBandIndicatorに対応するバンド毎に保持（設定）され、かつ、端末能力情報（UECapabilityInformation）のメッセージとして移動局装置１から送信されてもよい。
【０１７８】
例えば、アンライセンスバンドでの通信に関する機能のサポートに関する情報は、移動局装置１がサポートするバンドの組み合わせに関するパラメータであるBandCombinationParametersのリストであるsupportedBandCombinationに含まれてもよい。尚、アンライセンスバンドでの通信に関する機能のサポートに関する情報は、BandCombinationParametersに含まれる移動局装置１がサポートするバンドの組み合わせにおける各バンドに関するパラメータであるBandParametersに含まれるバンドを示す識別子であるFreqBandIndicatorに対応するバンド毎に保持（設定）され、かつ、端末能力情報（UECapabilityInformation）のメッセージとして移動局装置１から送信されてもよい。
【０１７９】
例えば、アンライセンスバンドでの通信に関する機能のサポートに関する情報は、BandParametersに含まれるそのバンドにおける上りリンクにおけるＣＡとＭＩＭＯに関するパラメータであるCA-MIMO-ParametersULのリストであるBandParametersULに含まれてもよい。尚、アンライセンスバンドでの通信に関する機能のサポートに関する情報は、CA-MIMO-ParametersULに含まれる上りリンクにおけるＣＡバンド幅クラスを示す情報であるCA-BandwidthClass、または、CA-MIMO-ParametersULに含まれる上りリンクにおいてサポートされるＭＩＭＯのレイヤー数に関する情報であるMIMO-CapabilityULに含まれてもよい。
【０１８０】
例えば、アンライセンスバンドでの通信に関する機能のサポートに関する情報は、BandParametersに含まれるそのバンドにおける下りリンクにおけるＣＡとＭＩＭＯに関するパラメータであるCA-MIMO-ParametersDLのリストであるBandParametersDLに含まれてもよい。尚、アンライセンスバンドでの通信に関する機能のサポートに関する情報は、CA-MIMO-ParametersDLに含まれる下りリンクにおけるＣＡバンド幅クラスを示す情報であるCA-BandwidthClass、または、CA-MIMO-ParametersDLに含まれる下りリンクにおいてサポートされるＭＩＭＯのレイヤー数に関する情報であるMIMO-CapabilityDLに含まれてもよい。
【０１８１】
例えば、PhyLayerParametersに、アンライセンスバンドでの通信に関する機能のサポートに関する情報が含まれ（移動局装置１がアンライセンスバンドでの通信に関する機能をサポートし）、かつ、BandCombinationParametersに含まれるBandParametersに含まれるバンドを示す識別子であるFreqBandIndicatorに対応するバンドがＴＤＤ方式である場合、該ＴＤＤ方式のバンドにおいて、アンライセンスバンドでの通信に関する機能がサポートされてもよい。
【０１８２】
例えば、PhyLayerParametersに、アンライセンスバンドでの通信に関する機能のサポートに関する情報が含まれ（移動局装置１がアンライセンスバンドでの通信に関する機能をサポートし）、かつ、BandCombinationParametersに含まれるBandParametersに含まれるバンドを示す識別子であるFreqBandIndicatorに対応するバンドがＴＤＤ方式であり、かつ、該ＴＤＤ方式のバンドのBandParametersに含まれるパラメータ（dl-only）が“１”もしくは“Ｔｒｕｅ”の場合、該ＴＤＤ方式のバンドにおいて、アンライセンスバンドでの通信に関する機能がサポートされてもよい。
【０１８３】
例えば、PhyLayerParametersに、アンライセンスバンドでの通信に関する機能のサポートに関する情報が含まれ（移動局装置１がアンライセンスバンドでの通信に関する機能をサポートし）、かつ、BandCombinationParametersに含まれるBandParametersに含まれるバンドを示す識別子であるFreqBandIndicatorに対応するバンドがＴＤＤ方式であり、かつ、該ＴＤＤ方式のバンドのBandParametersに含まれるパラメータ（dl-only）が“０”もしくは“Ｆａｌｓｅ”の場合、該ＴＤＤ方式のバンドにおいて、アンライセンスバンドでの通信に関する機能がサポートされなくてもよい（該ＴＤＤ方式のバンドにおいて、ライセンスバンドでの通信に関する機能のみがサポートされてもよい）。
【０１８４】
例えば、PhyLayerParametersに、アンライセンスバンドでの通信に関する機能のサポートに関する情報が含まれない（移動局装置１がアンライセンスバンドでの通信に関する機能をサポートしない）、かつ、BandCombinationParametersに含まれるBandParametersに含まれるバンドを示す識別子であるFreqBandIndicatorに対応するバンドがＴＤＤ方式である場合、該ＴＤＤ方式のバンドにおいて、アンライセンスバンドでの通信に関する機能がサポートされなくてもよい（該ＴＤＤ方式のバンドにおいて、ライセンスバンドでの通信に関する機能のみがサポートされてもよい）。
【０１８５】
移動局装置１がアンライセンスバンドでの通信に関する機能をサポートしている場合、第１の上りリンク−下りリンク設定に関する機能のサポートに関する情報および／または第２の上りリンク−下りリンク設定に関する機能のサポートに関する情報は、アンライセンスバンドに対してのみ予め保持（設定）され、かつ、端末能力情報（UECapabilityInformation）のメッセージとして移動局装置１から送信されてもよい。すなわち、上りリンク−下りリンク設定０−７に関する機能、および／または、上りリンク−下りリンク設定７に関する機能はアンライセンスバンドでのみサポートされてもよい。
【０１８６】
以下、ＰＤＣＣＨ／ＥＰＤＣＣＨのモニタについて説明する。
【０１８７】
基地局装置３は、ＰＤＣＣＨ／ＥＰＤＣＣＨを用いて、物理層の制御情報（例えば、ＤＣＩフォーマット）を移動局装置１に送信する。物理層の制御情報（例えば、ＤＣＩフォーマット）は、ＣＳＳ（Common Search Space）、または、ＵＳＳ（UE-specific Search Space）において送受信される。
【０１８８】
ＣＳＳは、複数の移動局装置１が共通してＰＤＣＣＨ／ＥＰＤＣＣＨの監視を行う領域である。ＵＳＳは、少なくともＣ−ＲＮＴＩに基づいて定義される領域である。Ｃ−ＲＮＴＩは、移動局装置１に固有に割り当てられる識別子である。
【０１８９】
ＣＩＦをともなうＰＤＣＣＨ／ＥＰＤＣＣＨをモニタすることは、ＣＩＦを含むＤＣＩフォーマットに応じてＰＤＣＣＨまたはＥＰＤＣＣＨのデコードを試みることを意味する。ＣＩＦは、キャリアインディケータがマップされるフィールドである。キャリアインディケータの値は、該キャリアインディケータが関連するＤＣＩフォーマットが対応するサービングセルを示す。
【０１９０】
他のサービングセルにおいて、サービングセルに対応しＣＩＦをともなうＰＤＣＣＨ／ＥＰＤＣＣＨをモニタするように設定されている移動局装置１は、該他のサービングセルにおいてＣＩＦをともなうＰＤＣＣＨ／ＥＰＤＣＣＨをモニタする。
【０１９１】
他のサービングセルにおいて、サービングセルに対応しＣＩＦをともなうＰＤＣＣＨ／ＥＰＤＣＣＨをモニタするように設定されていない移動局装置１は、該サービングセルにおいてＣＩＦをともなう、または、ＣＩＦをともなわないＰＤＣＣＨ／ＥＰＤＣＣＨをモニタする。
【０１９２】
基地局装置３は、プライマリーセルにおいて送信されるＤＣＩフォーマットにＣＩＦが含まれるかどうかを示すパラメータ（cif-Presence-r10）を、移動局装置１に送信する。
【０１９３】
基地局装置３は、セカンダリーセルのそれぞれに対して、クロスキャリアスケジューリングに関連するパラメータ（CrossCarrierSchedulingConfig-r10）を、移動局装置１に送信する。
【０１９４】
パラメータ（CrossCarrierSchedulingConfig-r10）は、関連するセカンダリーセルに対応するＰＤＣＣＨ／ＥＰＤＣＣＨが、該セカンダリーセルで送信されるか、他のサービングセルで送信されるかを示すパラメータ（schedulingCellInfo-r10）を含む。
【０１９５】
パラメータ（schedulingCellInfo-r10）が、関連するセカンダリーセルに対応するＰＤＣＣＨ／ＥＰＤＣＣＨが該セカンダリーセルで送信されることを示している場合、パラメータ（schedulingCellInfo-r10）は、該セカンダリーセルにおいて送信されるＤＣＩフォーマットにＣＩＦが含まれるかどうかを示すパラメータ（cif-Presence-r10）を含む。
【０１９６】
パラメータ（schedulingCellInfo-r10）が、関連するセカンダリーセルに対応するＰＤＣＣＨ／ＥＰＤＣＣＨが他のサービングセルで送信されることを示している場合、パラメータ（schedulingCellInfo-r10）は、関連する前記セカンダリーセルに対する下りリンク割り当てが何れのサービングセルで送られるかを示すパラメータ（schedulingCellId）を含む。
【０１９７】
ここで、上りリンク−下りリンク設定７が設定されたサービングセルは上りリンクサブフレームが存在しない。従って、該サービングセルに対するＰＵＳＣＨのリソース割当（uplink grant）を含むＰＤＣＣＨ／ＥＰＤＣＣＨをモニタしなくてもよい。
【０１９８】
ここで、上りリンク−下りリンク設定７が設定されたサービングセルは、他のサービングセルに対するＰＵＳＣＨのリソース割当（uplink grant）を含むＰＤＣＣＨ／ＥＰＤＣＣＨをモニタしてもよい。すなわち、上りリンク−下りリンク設定７が設定されたサービングセルにおいて、ＣＩＦをともなうＰＤＣＣＨ／ＥＰＤＣＣＨをモニタしてもよい。
【０１９９】
以下では、プライマリーセカンダリーセルの詳細を説明する。
【０２００】
プライマリーセカンダリーセルは、デュアルコネクティビティにおいて用いられるセルである。デュアルコネクティビティとは、少なくとも二つの異なるネットワークポイント（マスター基地局装置（ＭｅＮＢ：Ｍａｓｔｅｒ  ｅＮＢ）とセカンダリー基地局装置（ＳｅＮＢ：Ｓｅｃｏｎｄａｒｙ  ｅＮＢ））から提供される無線リソースを所定の端末装置が消費するオペレーションである。言い換えると、デュアルコネクティビティは、端末装置が、少なくとも２つのネットワークポイントでＲＲＣ接続を行なうことである。デュアルコネクティビティにおいて、端末装置は、ＲＲＣ接続（ＲＲＣ＿ＣＯＮＮＥＣＴＥＤ）状態で、且つ、非理想的バックホール（ｎｏｎ−ｉｄｅａｌ  ｂａｃｋｈａｕｌ）によって接続されてもよい。
【０２０１】
デュアルコネクティビティにおいて、少なくともＳ１−ＭＭＥに接続され、コアネットワークのモビリティアンカーの役割を果たす基地局装置をマスター基地局装置と称される。また、端末装置に対して追加の無線リソースを提供するマスター基地局装置ではない基地局装置をセカンダリー基地局装置と称される。マスター基地局装置に関連されるサービングセルのグループをマスターセルグループ（ＭＣＧ：Ｍａｓｔｅｒ  Ｃｅｌｌ  Ｇｒｏｕｐ）、セカンダリー基地局装置に関連されるサービングセルのグループをセカンダリーセルグループ（ＳＣＧ：Ｓｅｃｏｎｄａｒｙ  Ｃｅｌｌ  Ｇｒｏｕｐ）と称される場合もある。なお、セルグループは、サービングセルグループであってもよい。
【０２０２】
デュアルコネクティビティにおいて、プライマリーセルは、ＭＣＧに属する。また、ＳＣＧにおいて、プライマリーセルに相当するセカンダリーセルをプライマリーセカンダリーセル（ｐＳＣｅｌｌ：Ｐｒｉｍａｒｙ  Ｓｅｃｏｎｄａｒｙ  Ｃｅｌｌ）と称する。なお、ｐＳＣｅｌｌをスペシャルセルやスペシャルセカンダリーセル（Ｓｐｅｃｉａｌ  ＳＣｅｌｌ：Ｓｐｅｃｉａｌ  Ｓｅｃｏｎｄａｒｙ  Ｃｅｌｌ）と称する場合もある。スペシャルＳＣｅｌｌ（スペシャルＳＣｅｌｌを構成する基地局装置）には、ＰＣｅｌｌ（ＰＣｅｌｌを構成する基地局装置）の機能の一部（例えば、ＰＵＣＣＨを送受信する機能など）がサポートされてもよい。また、ｐＳＣｅｌｌには、ＰＣｅｌｌの一部の機能だけがサポートされてもよい。例えば、ｐＳＣｅｌｌには、ＰＤＣＣＨを送信する機能がサポートされてもよい。また、ｐＳＣｅｌｌには、ＣＳＳまたはＵＳＳとは異なるサーチスペースを用いて、ＰＤＣＣＨ送信を行なう機能がサポートされてもよい。例えば、ＵＳＳとは異なるサーチスペースは、仕様で規定された値に基づいて決まるサーチスペース、Ｃ−ＲＮＴＩとは異なるＲＮＴＩに基づいて決まるサーチスペース、ＲＮＴＩとは異なる上位レイヤーで設定される値に基づいて決まるサーチスペースなどである。また、ｐＳＣｅｌｌは、常に、起動の状態であってもよい。また、ｐＳＣｅｌｌは、ＰＵＣＣＨを受信できるセルである。
【０２０３】
デュアルコネクティビティにおいて、データ無線ベアラ（ＤＲＢ：Ｄａｔｅ  Ｒａｄｉｏ  Ｂｅａｒｅｒ）は、ＭｅＮＢとＳｅＮＢで個別に割り当てられてもよい。一方、シグナリング無線ベアラ（ＳＲＢ：Ｓｉｇｎａｌｌｉｎｇ  Ｒａｄｉｏ  Ｂｅａｒｅｒ）はＭｅＮＢだけに割り当てられてもよい。デュアルコネクティビティにおいて、ＭＣＧとＳＣＧまたはＰＣｅｌｌとｐＳＣｅｌｌでは、それぞれ個別にデュプレックスモードが設定されてもよい。デュアルコネクティビティにおいて、ＭＣＧとＳＣＧまたはＰＣｅｌｌとｐＳＣｅｌｌで、同期されなくてもよい。デュアルコネクティビティにおいて、ＭＣＧとＳＣＧそれぞれにおいて、複数のタイミング調整のためのパラメータ（ＴＡＧ：Ｔｉｍｉｎｇ  Ａｄｖａｎｃｃｅ  Ｇｒｏｕｐ）が設定されてもよい。つまり、端末装置は、各ＣＧ内において、異なる複数のタイミングでの上りリンク送信が可能である。
【０２０４】
デュアルコネクティビティにおいて、端末装置は、ＭＣＧ内のセルに対応するＵＣＩは、ＭｅＮＢ（ＰＣｅｌｌ）のみに送信し、ＳＣＧ内のセルに対応するＵＣＩは、ＳｅＮＢ（ｐＳＣｅｌｌ）のみに送信することができる。例えば、ＵＣＩはＳＲ、ＨＡＲＱ−ＡＣＫ、および／またはＣＳＩである。また、それぞれのＵＣＩの送信において、ＰＵＣＣＨおよび／またはＰＵＳＣＨを用いた送信方法はそれぞれのセルグループで適用される。
【０２０５】
プライマリーセルでは、すべての信号が送受信可能であるが、セカンダリーセルでは、送受信できない信号がある。例えば、ＰＵＣＣＨ（Ｐｈｙｓｉｃａｌ  Ｕｐｌｉｎｋ  Ｃｏｎｔｒｏｌ  Ｃｈａｎｎｅｌ）は、プライマリーセルでのみ送信される。また、ＰＲＡＣＨ（Ｐｈｙｓｉｃａｌ  Ｒａｎｄｏｍ  Ａｃｃｅｓｓ  Ｃｈａｎｎｅｌ）は、セル間で、複数のＴＡＧ（Ｔｉｍｉｎｇ  Ａｄｖａｎｃｅ  Ｇｒｏｕｐ）が設定されない限り、プライマリーセルでのみ送信される。また、ＰＢＣＨ（Ｐｈｙｓｉｃａｌ  Ｂｒｏａｄｃａｓｔ  Ｃｈａｎｎｅｌ）は、プライマリーセルでのみ送信される。また、ＭＩＢ（Ｍａｓｔｅｒ  Ｉｎｆｏｒｍａｔｉｏｎ  Ｂｌｏｃｋ）は、プライマリーセルでのみ送信される。プライマリーセカンダリーセルでは、プライマリーセルで送受信可能な信号が送受信される。例えば、ＰＵＣＣＨは、プライマリーセカンダリーセルで送信されてもよい。また、ＰＲＡＣＨは、複数のＴＡＧが設定されているかにかかわらず、プライマリーセカンダリーセルで送信されてもよい。また、ＰＢＣＨやＭＩＢがプライマリーセカンダリーセルで送信されてもよい。
【０２０６】
プライマリーセルでは、ＲＬＦ（Ｒａｄｉｏ  Ｌｉｎｋ  Ｆａｉｌｕｒｅ）が検出される。セカンダリーセルでは、ＲＬＦが検出される条件が整ってもＲＬＦが検出されたと認識しない。プライマリーセカンダリーセルでは、条件を満たせば、ＲＬＦが検出される。プライマリーセカンダリーセルにおいて、ＲＬＦが検出された場合、プライマリーセカンダリーセルの上位層は、プライマリーセルの上位層へＲＬＦが検出されたことを通知する。プライマリーセルでは、ＳＰＳ（Ｓｅｍｉ−Ｐｅｒｓｉｓｔｅｎｔ  Ｓｃｈｅｄｕｌｉｎｇ）やＤＲＸ（Ｄｉｓｃｏｎｔｉｎｕｏｕｓ  Ｔｒａｎｓｍｉｓｓｉｏｎ）を行なってもよい。セカンダリーセルでは、プライマリーセルと同じＤＲＸを行なってもよい。セカンダリーセルにおいて、ＭＡＣの設定に関する情報／パラメータは、基本的に、同じセルグループのプライマリーセル／プライマリーセカンダリーセルと共有している。一部のパラメータ（例えば、ｓＴＡＧ−Ｉｄ）は、セカンダリーセル毎に設定されてもよい。一部のタイマーやカウンタが、プライマリーセルおよび／またはプライマリーセカンダリーセルに対してのみ適用されてもよい。セカンダリーセルに対してのみ、適用されるタイマーやカウンタが設定されてもよい。
【０２０７】
これにより、追加の上りリンク‐下りリンク設定を利用可能な無線通信システムにおいて、移動局装置１は効率的に基地局装置３と通信することができる。
【０２０８】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０２０９】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２１０】
尚、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２１１】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２１２】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる移動局装置１は、集合体としての基地局装置と通信することも可能である。
【０２１３】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２１４】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２１５】
また、上述した実施形態では、移動局装置もしくは通信装置の一例として移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの移動局装置もしくは通信装置にも適用出来る。
【０２１６】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２１７】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  サブフレーム設定部
１０１５  スケジューリング情報解釈部
１０１７  ＣＳＩ報告制御部
３０１１  無線リソース制御部
３０１３  サブフレーム設定部
３０１５  スケジューリング部
３０１７  ＣＳＩ報告制御部
【図１】
0006568066.tif 000002
【図２】
0006568066.tif 000003
【図３】
0006568066.tif 000004
【図４】
0006568066.tif 000005
【図５】
0006568066.tif 000006
【図６】
0006568066.tif 000007
【図７】
0006568066.tif 000008
【図８】
0006568066.tif 000009
【図９】
0006568066.tif 000010